(57)【要約】【課題】タッチセンサを成すフィルムを筐体内に折曲げて入れる構造を備える操作装置の性能を安定させることができる技術を提供する。【解決手段】操作面にてタッチ操作を受け付ける操作装置は、前面を前記操作面とする筐体と、前記筐体内面に配置され前記タッチ操作を検出するタッチセンサを成すフィルムと、前記筐体に取り付けられ前記フィルムを覆う蓋体と、を備える。前記筐体は、前記操作面を有する前壁部と、前記前壁部から後方に延びる側壁部と、を有する。前記フィルムは、前記前壁部の内面と対向するフィルム前部と、前記側壁部の内面と対向するフィルム側部と、を有する。前記蓋体は、前記前壁部から後方に間隔をあけて配置されるとともに、前方に突出するリブを有する。前記側壁部と前記リブとの間に前記フィルム側部が介在する。【選択図】図８
2019200703.tif 000002
【特許請求の範囲】
【請求項１】
操作面にてタッチ操作を受け付ける操作装置であって、
前面を前記操作面とする筐体と、
前記筐体内面に配置され前記タッチ操作を検出するタッチセンサを成すフィルムと、
前記筐体に取り付けられ前記フィルムを覆う蓋体と、
を備え、
前記筐体は、
前記操作面を有する前壁部と、
前記前壁部から後方に延びる側壁部と、
を有し、
前記フィルムは、
前記前壁部の内面と対向するフィルム前部と、
前記側壁部の内面と対向するフィルム側部と、
を有し、
前記蓋体は、前記前壁部から後方に間隔をあけて配置されるとともに、前方に突出するリブを有し、
前記側壁部と前記リブとの間に前記フィルム側部が介在する、操作装置。
【請求項２】
前記筐体と前記フィルムとの間のうち、前記前壁部と前記フィルム前部との間にのみ前記筐体と前記フィルムとを接合する接着層が設けられている、請求項１に記載の操作装置。
【請求項３】
前記側壁部は、
前記前壁部の上端部から後方に延びる上側壁部と、
前記前壁部の下端部から後方に延びる下側壁部と、
を有し、
前記フィルム側部は、
前記上側壁部の内面と対向する上フィルム側部と、
前記下側壁部の内面と対向する下フィルム側部と、
のうちの少なくとも一方を有し、
前記リブは、
前記上側壁部との間に前記上フィルム側部を介在させる上リブと、
前記下側壁部との間に前記下フィルム側部を介在させる下リブと、
の少なくとも一方を有する、請求項１又は２に記載の操作装置。
【請求項４】
前記前壁部は、光を透過する光透過部を有し、
前記光透過部に光を供給する発光素子と、
前記フィルム前部と前記蓋体との前後方向間に配置され前記発光素子を搭載する基板と、
を更に備え、
前記基板は、前記上リブと前記下リブとの間に位置する、請求項３に記載の操作装置。
【請求項５】
前記基板に搭載され前記発光素子からの光を前記光透過部に向けて出射する導光板を更に備える、請求項４に記載の操作装置。
【発明の詳細な説明】
【技術分野】
【０００１】
本発明は、操作装置に関する。
【背景技術】
【０００２】
特許文献１には、筐体、接着シート及び多面操作用の入力シートを備える入力装置が開示される。筐体は、表示面操作領域及び側面操作領域を有している。入力シートは、表示面タッチシート部分と側面タッチシート部分とを形成した展開入力シートが選択的に折曲げられ、表示面操作領域に表示面タッチシート部分が取り付けられ、かつ、側面操作領域に側面タッチシート部分が取り付けられた入力シート折曲げ構造を有する。表示面タッチシート部分は、表示面操作領域に位置合わせされて、筐体の操作面内側に接着シートによって接着されている。側面タッチシート部分は、側面操作領域に位置合わせされて、その壁面内側に接着シートによって接着されている。
【先行技術文献】
【特許文献】
【０００３】
【特許文献１】特開２００７−７２９０２号公報
【発明の概要】
【発明が解決しようとする課題】
【０００４】
筐体内に入力シートを折り曲げて取り付ける場合、入力シートを折曲げることなく平面部分に取り付ける場合に比べて入力シートの取付けが難しくなり、例えば入力シートが筐体に対して浮き上った状態が生じ易くなる。入力シートが筐体に対して大きく浮き上ると、例えば入力シートの感度の低下が発生する。
【０００５】
本発明は、タッチセンサを成すフィルムを筐体内に折曲げて入れる構造を備える操作装置の性能を安定させることができる技術を提供することを目的とする。
【課題を解決するための手段】
【０００６】
上記目的を達成するために本発明の操作装置は、操作面にてタッチ操作を受け付ける操作装置であって、前面を前記操作面とする筐体と、前記筐体内面に配置され前記タッチ操作を検出するタッチセンサを成すフィルムと、前記筐体に取り付けられ前記フィルムを覆う蓋体と、を備え、前記筐体は、前記操作面を有する前壁部と、前記前壁部から後方に延びる側壁部と、を有し、前記フィルムは、前記前壁部の内面と対向するフィルム前部と、前記側壁部の内面と対向するフィルム側部と、を有し、前記蓋体は、前記前壁部から後方に間隔をあけて配置されるとともに、前方に突出するリブを有し、前記側壁部と前記リブとの間に前記フィルム側部が介在する構成（第１の構成）になっている。
【０００７】
上記第１の構成の操作装置において、前記筐体と前記フィルムとの間のうち、前記前壁部と前記フィルム前部との間にのみ前記筐体と前記フィルムとを接合する接着層が設けられている構成（第２の構成）とすることが好ましい。
【０００８】
上記第１又は第２の構成の操作装置において、前記側壁部は、前記前壁部の上端部から後方に延びる上側壁部と、前記前壁部の下端部から後方に延びる下側壁部と、を有し、前記フィルム側部は、前記上側壁部の内面と対向する上フィルム側部と、前記下側壁部の内面と対向する下フィルム側部と、のうちの少なくとも一方を有し、前記リブは、前記上側壁部との間に前記上フィルム側部を介在させる上リブと、前記下側壁部との間に前記下フィルム側部を介在させる下リブと、の少なくとも一方を有する構成（第３の構成）であることが好ましい。
【０００９】
上記第３の構成の操作装置において、前記前壁部は、光を透過する光透過部を有し、前記光透過部に光を供給する発光素子と、前記フィルム前部と前記蓋体との前後方向間に配置され前記発光素子を搭載する基板と、を更に備え、前記基板は、前記上リブと前記下リブとの間に位置する構成（第４の構成）であることが好ましい。
【００１０】
上記第４の構成の操作装置は、前記基板に搭載され前記発光素子からの光を前記光透過部に向けて出射する導光板を更に備える構成（第５の構成）であることが好ましい。
【発明の効果】
【００１１】
本発明によると、タッチセンサを成すフィルムを筐体内に折曲げて入れる構造を備える操作装置の性能を安定させることができる。
【図面の簡単な説明】
【００１２】
【図１】本発明の実施形態に係る操作装置を備える電子機器の概略斜視図
【図２】操作装置の分解斜視図
【図３】筐体の縦断面図
【図４】前壁部を前方から見た平面図
【図５】フィルムの筐体内に配置される前の状態を示す図
【図６】フィルムが折曲げられた状態を示す図
【図７】筐体とフィルムとの関係を示す図
【図８】操作装置の縦断面図
【発明を実施するための形態】
【００１３】
以下、本発明の例示的な実施形態について、図面を参照しながら詳細に説明する。本明細書では、操作装置１の説明において、操作面１ａが上下左右に延びる構成であるとして上下方向および左右方向の表現を使用する。また、上下方向および左右方向に直交する方向を前後方向とし、操作面１ａは操作装置１の前面に設けられるとして前後の表現を使用する。ただし、上下方向、左右方向、および、前後方向は、単に説明のために用いられる名称であって、製品の実際の方向を限定する意図はない。
【００１４】
＜１．操作装置の概要＞
図１は、本発明の実施形態に係る操作装置１を備える電子機器１００の概略斜視図である。本実施形態では、電子機器１００は、車載用のナビゲーション装置である。すなわち、操作装置１は、ユーザがナビゲーション装置を操作するための装置である。
【００１５】
ただし、操作装置１を備える電子機器は、他の車載機器でもよく、例えば、オーディオ機器、ＡＶ（Audio Visual）機器、ワンセグテレビ、ドライブレコーダ、通信機器等であってもよい。また、操作装置１を備える電子機器は、車載機器に限らず、例えば、冷蔵庫、テレビ又はエアコン等の家庭用の電子機器、パーソナルコンピュータ、携帯端末等であってもよい。
【００１６】
電子機器１００は、操作装置１の他に、機器本体部２とディスプレイ３とを有する。機器本体部２は、例えばＣＤやＤＶＤ等の光ディスク、及び、ＳＤメモリカード（登録商標）等のメモリカードが挿入可能になっている。電子機器１００は、ナビゲーション機能に加えてＡＶ機能を有する。
【００１７】
ディスプレイ３は、例えば、液晶パネルや有機ＥＬパネル等の表示パネルを含んで構成される。ディスプレイ３は、表示パネルの他にタッチパネル等の他のパネルを含んで構成されてよい。ディスプレイ３は、平板状であり、画像を表示する画面３ａを前方に向けて配置される。ディスプレイ３は、傾斜変更可能に設けられており、画面３ａの傾きを変更することができる。ディスプレイ３の傾斜変更機能を使って、機器本体部２に設けられる光ディスクやメモリカードの挿入口を露出させることができる。
【００１８】
操作装置１は、ディスプレイ３の下端部に取り付けられている。操作装置１は、操作面１ａにてタッチ操作を受け付ける。操作面１ａは、上下左右に延びる。操作面１ａに対するタッチ操作によって、例えば、地図画面、オーディオ画面、および、メニュー画面といった画面の選択や音量調整等を行うことができる。操作装置１の詳細構成については後述する。
【００１９】
電子機器１００は、操作面１ａおよび画面３ａを車室内に露出した状態で、例えば車両の内装の一部であるセンターコンソールに取り付けられる。すなわち、ユーザは、車両内において、操作面１ａにタッチして電子機器１００の操作を行うことができる。
【００２０】
＜２．操作装置の詳細＞
図２は、操作装置１の分解斜視図である。図２に示すように、操作装置１は、筐体１１と、フィルム１２と、基板１３と、蓋体１４とを備える。
【００２１】
図３は、筐体１１の縦断面図である。筐体１１は、断面視においてＣ字状の箱形形状であり、左右方向に細長く延びる。筐体１１は、前面を操作面１ａとする。本実施形態では、操作面１ａは、前後方向からの平面視において上下方向に比べて左右方向の長さが長い矩形状である。操作面１ａは、上下方向および左右方向と平行な平面である。ただし、操作面１ａは、平面に限定されず、例えば前後方向に凸又は凹となる曲面を含んで構成されてよい。筐体１１は、例えば、光の透過を遮る塗料が塗られた乳白色の樹脂部材で構成される。光を遮る塗料は、例えば黒色の塗料である。
【００２２】
詳細には、筐体１１は、前壁部１１１と側壁部１１２とを有する。前壁部１１１は、操作面１ａを有する。本実施形態では、前壁部１１１は平板状である。前壁部１１１の前面が操作面１ａである。図４は、前壁部１１１を前方から見た平面図である。なお、図４は、前壁部１１１の一部を示す模式図である。図４に示すように、前壁部１１１は、光を透過する光透過部１１１ａを有する。本実施形態では、前壁部１１１は複数の光透過部１１１ａを有する。換言すると、操作面１ａには、複数の光透過部１１１ａが設けられている。
【００２３】
本実施形態では、光透過部１１１ａの形状は、例えばアルファベット等の文字である。ただし、光透過部１１１ａの形状は、文字に限らず、図形、記号、これらの組み合わせ等であってよい。前壁部１１１には、複数の光透過部１１１ａの組み合わせによって形成された文字列が左右方向に間隔をあけて複数配置されている。詳細には、前壁部１１１には、ＭＡＰ、ＡＵＤＩＯ、ＭＥＮＵ等の文字列が間隔をあけて並列配置されている。光透過部１１１ａは、例えば、筐体１１の光を遮る塗装被膜の一部を例えばレーザ加工等によって除去して乳白色の部材を露出させることによって形成することができる。
【００２４】
側壁部１１２は、前壁部１１１から後方に延びる。詳細には、図３に示すように、側壁部１１２は、上側壁部１１２ａと下側壁部１１２ｂとを有する。上側壁部１１２ａは、前壁部１１１の上端部から後方に延びる。下側壁部１１２ｂは、前壁部１１１の下端部から後方に延びる。上側壁部１１２ａは、上方からの平面視において前後方向に比べて左右方向の長さが長い矩形状である。下側壁部１１２ｂは、下方からの平面視において前後方向に比べて左右方向の長さが長い矩形状である。その他、側壁部１１２は、前壁部１１１の左右の両端部から後方に延びる左側壁部１１２ｃと右側壁部１１２ｄとを有する（図２参照）。左側壁部１１２ｃと右側壁部１１２ｄとは、いずれも、上端が上側壁部１１２ａと繋がり、下端が下側壁部１１２ｂと繋がっている。
【００２５】
フィルム１２は、筐体１１内に配置される。フィルム１２は、タッチ操作を検出するタッチセンサを成す。本実施形態では、タッチセンサの検出方式は静電容量方式である。タッチセンサは、操作面１ａのタッチ位置を静電容量の変化に基づいて検出する。例えば、ユーザが操作面１ａの「ＭＡＰ」（図４参照）の位置に触れると、タッチセンサによって「ＭＡＰ」がタッチ操作されたことが検出される。当該検出情報が、電子機器１００の制御部（不図示）に送られ、ディスプレイ３の画面３ａに地図が表示される。
【００２６】
フィルム１２は、任意に曲げることが可能な、光透過性を有する部材で構成される。図５は、フィルム１２の筐体１１内に配置される前の状態を示す図である。図５に示すように、フィルム１２は、筐体１１内に入れられる前は平ら（フラット）である。フィルム１２は、フィルム本体部１２ａとフィルム配線部１２ｂとを有する。
【００２７】
フィルム本体部１２ａは、左右方向に細長く延びる矩形状である。フィルム本体部１２ａには、タッチ操作を検出するための電極パターンが構成される。フィルム配線部１２ｂは、フィルム本体部１２ａの一辺から直交する方向に延び出す。本実施形態では、フィルム配線部１２ｂの数は２つである。フィルム配線部１２ｂには、フィルム本体部１２ａに設けられる電極パターンから引出された引出線が配置されている。フィルム配線部１２ｂの数および形状は適宜変更されてよい。フィルム１２は、フィルム本体部１２ａが折曲げられて筐体１１内に配置される。
【００２８】
図６は、フィルム１２が折曲げられた状態を示す図である。図６は、左右方向から側面視した図である。フィルム１２は、筐体１１内に配置される前に、治具を用いて熱を加えて型付けされる。これにより、図６に示すように、フィルム１２は折曲げられた状態にされる。詳細には、フィルム本体部１２ａが、左右方向からの側面視においてＣ字状に折曲げられる。なお、フィルム本体部１２ａの折り曲げ形状は、Ｃ字状に限定されず、例えばＬ字状等であってもよい。
【００２９】
図７は、筐体１１とフィルム１２との関係を示す図である。型付けされたフィルム１２は、例えば吸着機能を有する治具に吸着された状態で筐体１１内に押し込まれ、筐体１１の内部に固定される。筐体１１とフィルム１２とは、両者の間に介在する接着層１５によって固定される。接着層１５は、フィルム１２における筐体１１の内面と対向する面の少なくとも一部に設けられる。本実施形態では、接着層１５は、フィルム１２における筐体１１の内面と対向する面の一部に設けられている。ただし、接着層１５は、フィルム１２における筐体１１の内面と対向する面の全部に設けられてもよい。
【００３０】
図７に示すように、フィルム１２は、フィルム前部１２１とフィルム側部１２２とを有する。フィルム前部１２１は、前壁部１１１の内面（後面）と対向する。詳細には、フィルム前部１２１は、前壁部１１１の後面と接着層１５を挟んで対向する。
【００３１】
フィルム側部１２２は、側壁部１１２の内面と対向する。詳細には、フィルム側部１２２は、上フィルム側部１２２ａと下フィルム側部１２２ｂとを有する。上フィルム側部１２２ａは、上側壁部１１２ａの下面（内面）と上下に対向する。下フィルム側部１２２ｂは、下側壁部１１２ｂの上面（内面）と上下に対向する。なお、例えばフィルム１２がＣ字状ではなくＬ字状に曲げられる場合には、上フィルム側部１２２ａと下フィルム側部１２２ｂとのうちの一方が設けられなくてもよい。すなわち、フィルム側部１２２は、上フィルム側部１２２ａと下フィルム側部１２２ｂとの少なくとも一方を有すればよい。
【００３２】
本実施形態では、筐体１１とフィルム１２との間のうち、前壁部１１１とフィルム前部１２１との間にのみ筐体１１とフィルム１２とを接合する接着層１５が設けられている。換言すると、接着層１５は、前後方向に直交するする平面状部分に設けられている。上側壁部１１２ａと上フィルム側部１２２ａとの上下方向間、および、下側壁部１１２ｂと下フィルム側部１２２ｂとの上下方向間には接着層１５が設けられていない。型付けされたフィルム１２が治具に吸着された状態で筐体１１内に押し込まれることによって、フィルム前部１２１が接着層１５を介して前壁部１１１に貼り付き、フィルム１２は筐体１１に固定される。
【００３３】
接着層１５は例えば両面テープで構成されてよい。この場合、両面テープは、フィルム１２を型付けする前に、フィルム１２に予め貼っておくことが好ましい。ただし、両面テープは、型付け後にフィルム１２に貼られてもよいし、フィルム１２ではなく筐体１１側に予め貼られてもよい。
【００３４】
本実施形態のように接着層１５を構成すると、型付けしたフィルム１２を筐体１１内に押し込む途中でフィルム側部１２２が本来の位置と異なる場所に貼り付くことを防止することができる。このために、フィルム１２の筐体１１への貼り付け作業を行い易くすることができる。また、フィルム１２の筐体１１への貼り付けを安定して正しく行うことができ、操作装置１の性能を安定させることができる。また、接着層１５が存在しないために、フィルム１２を筐体１１内に押し込んだ後に、別の治具を用いて側壁部１１２とフィルム側部１２２との接着を確実とする圧着工程を行う必要がなくなる。すなわち、本実施形態のように接着層１５を構成すると、工程を削減することができる。
【００３５】
図８は、操作装置１の縦断面図である。図２および図８に示すように、基板１３は、フィルム前部１２１と蓋体１４との前後方向間に配置される。基板１３は、前後方向からの平面視において上下方向に比べて左右方向の長さが長い矩形状である。基板１３上には、発光素子１６と導光板１７とが搭載される。換言すると、操作装置１は、発光素子１６と導光板１７とを備える。基板１３には、発光素子１６を発光させるための回路が形成されている。基板１３は、後方に配置される蓋体１４に固定される。基板１３の蓋体１４への固定には、例えば両面テープを用いた接着固定が用いられる。基板１３はフレキシブル基板であることが好ましい。これにより、基板１３の厚みを薄くできる。ただし、基板１３は、フレキシブル基板に限らず、例えばリジッド基板等であってよい。
【００３６】
発光素子１６は、例えば白色光を発光するＬＥＤ（Light Emitting Diode）を用いて構成される。発光素子１６の発光色は、白色に限定されず、他の色であってよい。発光素子１６は、ＬＥＤに限らず、例えばＯＬＥＤ（Organic Light Emitting Diode）や半導体レーザ等で構成されてよい。
【００３７】
詳細には、発光素子１６は光透過部１１１ａに光を供給する。発光素子１６からの光を光透過部１１１ａに供給することによって、光透過部１１１ａが操作面１ａの他の部分に比べて明るくなる。これにより、ユーザは、タッチ操作のために操作面１ａのいずれの位置にタッチすれば良いかを容易に認識することができる。本実施形態では、基板１３には、複数の発光素子１６が搭載されている。複数の発光素子１６は、左右方向に間隔をあけて並ぶ。ただし、発光素子１６の数は、導光板１７の数等に対応して適宜変更可能であり、発光素子１６の数は単数であってもよい。
【００３８】
導光板１７は、例えばアクリル樹脂等で構成される。導光板１７は直方体形状である。導光板１７は、発光素子１６からの光を光透過部１１１ａに向けて出射する。導光板１７が設けられることにより、発光素子１６から出射される光を面状に均一に光透過部１１１ａが設けられる前壁部１１１に向けて出射することができる。なお、導光板１７の前方には拡散シートが配置されてもよい。導光板１７の後方には反射シートが配置されてもよい。
【００３９】
本実施形態では、発光素子１６と導光板１７とは左右に対向している。詳細には、基板１３上には、導光板１７が複数搭載されている。複数の導光板１７は左右方向に間隔をあけて配列されている。発光素子１６は、各導光板１７の左右に１つずつ配置される。すなわち、各導光板１７に対して左右一対の発光素子１６が配置される。本実施形態では、導光板１７の数は６個であり、発光素子１６の数は１２個である。ただし、各導光板１７に対して配置される発光素子１６の数は適宜変更してよく、例えば、各導光板１７に対して１つの発光素子１６が配置される構成等としてもよい。
【００４０】
各導光板１７において、左右一対の発光素子１６から出射された光は、導光板１７の左右の側面から導光板１７の内部に入り、導光板１７の前面から面状に出射される。導光板１７を用いた構成にすることによって、操作装置１の前後方向の厚みを薄く抑えつつ、光透過部１１１ａに向けてムラのない均一な光を照射することができる。なお、導光板１７の数は、例えば、光透過部１１１ａによって形成される文字列の数に合わせて適宜変更されてよい。
【００４１】
図８に示すように、蓋体１４は、筐体１１に取り付けられフィルム１２を覆う。図２に示すように、蓋体１４は、前後方向からの平面視において上下方向に比べて左右方向の長さが長い矩形状である。基板１３は、蓋体１４の前面に固定される。基板１３の蓋体１４への固定には、両面テープ等を用いた接着固定が使用される。蓋体１４は、ディスプレイ３に取り付けられる。例えば、蓋体１４は、ディスプレイ３に両面テープ等を用いて接着固定される。
【００４２】
本実施形態では、前壁部１１１は、後方に突出する柱状の突起（不図示）を有する。当該突起は、左右方向に間隔をあけて複数配置される。基板１３および蓋体１４には、前後方向に貫通する貫通孔（不図示）が複数設けられている。蓋体１４は、突起と貫通孔とが嵌め合されることによって筐体１１に支持される。蓋体１４は、例えば接着固定等の手法により筐体１１に固定される。
【００４３】
図８に示すように、蓋体１４は、前壁部１１１から後方に間隔をあけて配置される。前壁部１１１と蓋体１４との前後方向間には、フィルム１２と、発光素子１６および導光板１７が搭載された基板１３とが配置される。蓋体１４は、前方に突出するリブ１４１を有する。側壁部１１２とリブ１４１との間に、フィルム側部１２２が介在する。
【００４４】
詳細には、リブ１４１は、上リブ１４１ａと下リブ１４１ｂとを有する。上リブ１４１ａは、蓋体１４の上部から前方に向けて突出する。下リブ１４１ｂは、蓋体１４の下部から前方に向けて突出する。上リブ１４１ａおよび下リブ１４１ｂは、蓋体１４の左右の一方端から他方端まで延びてよいが、それより短くてもよい。上リブ１４１ａおよび下リブ１４１ｂは、フィルム１２の左右方向の長さと同程度の長さ以上であることが好ましい。
【００４５】
上リブ１４１ａは、上側壁部１１２ａとの上下方向間に上フィルム側部１２２ａを介在させる。換言すると、上側壁部１１２ａと上リブ１４１ａとの上下方向間に、上フィルム側部１２２ａが介在する。下リブ１４１ｂは、下側壁部１１２ｂとの上下方向間に下フィルム側部１２２ｂを介在させる。換言すると、下側壁部１１２ｂと下リブ１４１ｂとの上下方向間に、下フィルム側部１２２ｂが介在する。
【００４６】
なお、例えばフィルム１２がＣ字状ではなくＬ字状に曲げられて、上フィルム側部１２２ａと下フィルム側部１２２ｂとのうちの一方が存在しない場合には、上リブ１４１ａと下リブ１４１ｂとのうち、フィルム側部が存在しない側のリブは設けられなくてよい。また、フィルム１２が上フィルム側部１２２ａと下フィルム側部１２２ｂとの両方を有する場合であっても、上リブ１４１ａと下リブ１４１ｂとのうち、リブを設ける効果が少ない側は設けられなくてもよい。すなわち、リブ１４１は、上リブ１４１ａと下リブ１４１ｂとのうちの少なくとも一方を有すればよい。
【００４７】
本実施形態によれば、フィルム側部１２２が筐体１１に対して浮き上る動きをリブ１４１によって押さえることができる。このために、フィルム側部１２２の浮き上りによるタッチセンサの感度の低下を抑制することができる。すなわち、本実施形態によれば、操作装置１の性能を安定させることができる。
【００４８】
特に、本実施形態では、フィルム側部１２２が筐体１１の内面に接着層１５で固定されない構成となっている。このために、フィルム側部１２２が筐体１１に対して浮き上り易くなるが、リブ１４１によってフィルム側部１２２の動きを押さえることができるために、タッチセンサの感度の低下を抑制することができる。なお、フィルム側部１２２には、タッチ操作の感度に影響を与える要素は、できる限り設けないことが好ましい。
【００４９】
また、リブ１４１は、フィルム側部１２２に接触することが好ましい。しかし、リブ１４１がフィルム側部１２２を筐体１１に強く押し付ける状態となることは好ましくない。このために、リブ１４１とフィルム側部１２２との間に若干の隙間が形成されるようにし、製造ばらつきが発生した場合でもリブ１４１はフィルム側部１２２を筐体１１に強く押し付けない程度にフィルム側部１２２に接触するという構成を採用することが好ましい。換言すると、リブ１４１とフィルム側部１２２との間には隙間が設けられてよい。
【００５０】
本実施形態では、図８に示すように、発光素子１６が搭載される基板１３は、上リブ１４１ａと下リブ１４１ｂとの間に位置している。詳細には、上リブ１４１ａおよび下リブ１４１ｂの前端は、発光素子１６よりも前方に位置している。このために、上リブ１４１ａと下リブ１４１ｂとによって、発光素子１６から出射された光が外部に漏れることを抑制することができる。また、上リブ１４１ａと下リブ１４１ｂとによって、外部から操作装置１内に浸入した水が基板１３に至るまでの浸入経路を長くすることができる。このために、基板１３に水がかかる可能性を低減することができる。
【００５１】
＜３．留意事項＞
本明細書における実施形態や変形例の構成は、本発明の例示にすぎない。実施形態や変形例の構成は、本発明の技術的思想を超えない範囲で適宜変更されてもよい。また、複数の実施形態及び変形例は、可能な範囲で組み合わせて実施されてよい。
【００５２】
以上においては、操作装置１の筐体１１が上下方向に比べて左右方向に長く延びる構成としたが、これは例示にすぎず、例えば操作装置１の筐体は左右方向に比べて上下方向に長く延びる構成であってよい。このような構成の操作装置１は、上下方向が左右方向に向くように配置されることによって、以上に示した実施形態と同様の構成にすることができ、本発明の範囲内に含まれる。また、本発明は、筐体１１の左右方向と上下方向との長さが異なる構成としたが、これらの方向の長さは互いに同じであってもよい。
【符号の説明】
【００５３】
１・・・操作装置
１ａ・・・操作面
１１・・・筐体
１２・・・フィルム
１３・・・基板
１４・・・蓋体
１５・・・接着層
１６・・・発光素子
１７・・・導光板
１１１・・・前壁部
１１１ａ・・・光透過部
１１２・・・側壁部
１１２ａ・・・上側壁部
１１２ｂ・・・下側壁部
１２１・・・フィルム前部
１２２・・・フィルム側部
１２２ａ・・・上フィルム側部
１２２ｂ・・・下フィルム側部
１４１・・・リブ
１４１ａ・・・上リブ
１４１ｂ・・・下リブ
【図１】
2019200703.tif 000003
【図２】
2019200703.tif 000004
【図３】
2019200703.tif 000005
【図４】
2019200703.tif 000006
【図５】
2019200703.tif 000007
【図６】
2019200703.tif 000008
【図７】
2019200703.tif 000009
【図８】
2019200703.tif 000010